(57)【特許請求の範囲】
【請求項１】
血圧測定に際して腕帯が巻回される生体の上腕を支持するための血圧測定用上腕支持装置であって、
前記上腕を支持する上腕支持部材と、
該上腕支持部材を水平方向の回動軸心まわりに回動可能に支持し、上下方向に移動可能に設けられた移動部材と、
生体の上腕が前記上腕支持部材に載置された状態で該上腕支持部材が下方へ移動させられる過程で該上腕支持部材の角度が水平線に対して予め設定された角度に到達したとき、該上腕支持部材の下方移動を停止させる停止手段と
を、含むことを特徴とする血圧測定用上腕支持装置。
【請求項２】
前記停止手段は、前記上腕支持部材の角度が水平線に対して予め設定された角度に到達したとき、該上腕支持部材の前記移動部材に対する回動を阻止するストッパである請求項１の血圧測定用上腕支持装置。
【請求項３】
前記停止手段は、前記上腕支持部材の角度が水平線に対して予め設定された角度に到達したことを検出する角度検出装置と、該角度検出装置により前記上腕支持部材の角度が水平線に対して予め設定された角度に到達したことが検出されると、前記移動部材の下方方向への移動を停止させる移動停止装置とを、含むものである請求項１の血圧測定用上腕支持装置。
【発明の詳細な説明】
【０００１】
【産業上の利用分野】
本発明は、血圧測定に際して腕帯が巻回される生体の上腕を支持するための血圧測定用上腕支持装置に関するものである。
【０００２】
【従来の技術】
生体の血圧測定方式として、動脈を圧迫するために上腕に巻回された腕帯の圧迫圧を連続的に変化させる過程で発生するコロトコフ音の発生および消滅時の圧迫圧に基づいて最高血圧および最低血圧を決定するコトロコフ音方式（JIS T 1115）、或いは、上記腕帯の圧迫圧を連続的に変化させる過程で心拍に同期して発生する圧迫圧の脈動の振幅変化に基づいて最高血圧値および最低血圧値を決定するオシロメトリック方式（JIS T 1115）などが知られている。これらの血圧測定方式では、測定された血圧値は生体の大動脈内圧として取り扱うことができるように、腕帯の圧迫部位の高さ位置が生体の心臓の高さ位置と略一致していることを前提として実行される。
【０００３】
【発明が解決しようとする課題】
しかしながら、生体の上腕に巻回される腕帯の装着部位の高さ位置は、必ずしも心臓の高さ位置とは一致しない場合が多い。たとえば、測定に先立って腕帯が生体の上腕に装着される際には、意図的に行わない限り、腕帯は、上腕の上部側部位よりも下部側部位すなわちその上腕に対して所定角度を成す前腕に隣接する部位に装着されることから、腕帯の装着部位の高さ位置は心臓の高さ位置よりも低いものとなる傾向があるので、このような場合には、測定によって得られた血圧値は大動脈内の血圧値に比較して高くなる側へずれて血圧測定精度が低下するという不都合があった。
【０００４】
本発明は以上の事情を背景として為されたものであって、その目的とするところは、腕帯の装着部位の心臓に対する高さ位置のずれに関連する血圧測定精度の低下のない血圧測定用上腕支持装置を提供することにある。
【０００５】
【課題を解決するための手段】
本発明者は、上記目的を達成するために種々検討を重ねた結果、腕帯が巻回された生体の上腕が水平線に対して所定の角度となるように、その上腕を支持する上腕支持部材の高さを変更すると、生体の身長などに拘らず、生体の心臓の高さと上腕に巻回された腕帯の高さとが好適に一致することを見いだした。本発明はこのような知見に基づいて為されたものである。
【０００６】
すなわち、本発明の要旨とするところは、血圧測定に際して腕帯が巻回される生体の上腕を支持するための血圧測定用上腕支持装置であって、(a) 前記上腕を支持する上腕支持部材と、(b) その上腕支持部材を水平方向の回動軸心まわりに回動可能に支持し、上下方向に移動可能に設けられた移動部材と、(c) 生体の上腕が前記上腕支持部材に載置された状態でその上腕支持部材が下方へ移動させられる過程でその上腕支持部材の角度が水平線に対して予め設定された角度に到達したとき、その上腕支持部材の下方移動を停止させる停止手段とを、含むことにある。
【０００７】
【発明の効果】
このようにすれば、生体の上腕が前記上腕支持部材に載置された状態でその上腕支持部材が下方へ移動させられると、生体の肩の高さは一定であるために上腕の肘側が下降させられて傾斜させられるので、その上腕を支持する上腕支持部材も同様に傾斜させられる。この上腕支持部材の下方移動過程でその角度が水平線に対して予め設定された角度すなわち上腕に巻回された腕帯の高さ位置が生体の心臓の高さ位置に略一致するように予め設定された角度に到達したとき、停止手段によりその上腕支持部材の下方移動が停止させられることにより、上腕に巻回された腕帯の高さ位置が生体の心臓の高さ位置と好適に一致させられる。このように、本発明の血圧測定用上腕支持装置によれば、生体の上腕に巻回された腕帯が生体の心臓の高さとなるように腕帯の高さ位置が自動的に調節されるので、腕帯の装着部位の心臓に対する高さ位置のずれに関連する血圧測定精度の低下が好適に解消される。
【０００８】
【発明の他の態様】
ここで、好適には、前記停止手段は、前記上腕支持部材の角度が水平線に対して予め設定された角度に到達したとき、その上腕支持部材の前記移動部材に対する回動を阻止する回動ストッパである。この場合、上腕の上端部を支持する肩の高さは変化しないことから、その上腕はその上端部が位置固定の部材に回動可能に設けられたリンクと同様の動きをすることになるので、上腕支持部材の移動部材に対する回動が回動ストッパにより阻止されて移動部材の下方移動も阻止される。このようにすれば、角度検出装置や電磁弁などの部品を用いることなく、生体の上腕に巻回された腕帯が生体の心臓の高さとなるようにその腕帯が上腕支持部材により支持される。
【０００９】
また、好適には、前記停止手段は、前記上腕支持部材の角度が水平線に対して予め設定された角度に到達したことを検出する角度検出装置と、その角度検出装置により前記上腕支持部材の角度が水平線に対して予め設定された角度に到達したことが検出されると、前記移動部材の下方方向への移動を停止させる移動停止装置とを、含むものである。このようにすれば、角度検出装置により前記上腕支持部材の角度が水平線に対して予め設定された角度に到達したことが検出されると、移動停止装置により移動部材の下方方向への移動が停止させられるので、生体の肩の位置が前後方向に変化したとしても、確実に、生体の上腕に巻回された腕帯が生体の心臓の高さとなるようにその腕帯が上腕支持部材により支持される。
【００１０】
また、好適には、前記移動部材および上腕支持部材をそれらの荷重よりも大きくかつそれに上腕の荷重が加えられた値よりも低い付勢力で上方に向かって付勢し、予め設定された上方停止点に位置決めする付勢装置が設けられ、前記停止手段は、生体の上腕が前記上腕支持部材に載置された状態でその上腕支持部材が付勢装置の付勢力に抗して下方へ移動させられる過程でその上腕支持部材の角度が水平線に対して予め設定された角度に到達したとき、その上腕支持部材の下方移動を停止させる。このようにすれば、上腕が上腕支持部材から外されると、その上腕支持部材は予め設定された上方停止点に自動的に復帰させられる利点がある。
【００１１】
また、好適には、前記付勢装置は、前記移動部材に連結された出力ロッドを備えた液圧シリンダと、その出力ロッドを上方に向かって付勢するスプリングとから構成されたものであり、前記移動停止装置は、その液圧シリンダにおいてピストンにより分割された２油室を連通させる閉回路に設けられてその閉回路内における作動油の流通を阻止する開閉弁から構成されたものである。このようにすれば、付勢装置および移動停止装置が小型に構成される利点がある。
【００１２】
また、好適には、前記上腕支持部材の移動部材に対する回動軸心の位置は、、その上腕支持部材の長さ寸法の中央位置Ｃよりも生体側に所定距離Ｌだけずらされた位置とされる。このようにすれば、上腕支持部材およびそれに支持された上腕の下方移動および傾斜に伴う生体の前方への移動による違和感の発生が好適に抑制される。
【００１３】
また、好適には、上腕支持部材と移動部材との間を回動可能に連結するとともに、上腕の荷重が付与されていないときには上腕支持部材の上面が水平となるように付勢する連結装置が設けられる。このようにすれば、上腕が上腕支持部材から外されると、上腕支持部材が自動的に水平となる利点がある。
【００１４】
【発明の好適な実施の形態】
以下、本発明の一実施例を図面に基づいて詳細に説明する。
【００１５】
図１は、本発明の一実施例の上腕支持装置１０と、腕帯１２が巻回された生体の上腕１４がその上腕支持装置１０によって支持された状態でその生体の血圧値を自動的に測定する自動血圧測定装置１６との使用状態を示す正面図であり、図２はその側面図である。本実施例では、上記上腕支持装置１０は、上記自動血圧測定装置１４が載置された天板１８およびそれを支持する脚２０を有する支持台２２の一端部に設けられている。
【００１６】
上記腕帯１２は、血圧測定に際して、椅子などの上に座った姿勢の生体の上腕１４に巻回されるか或いはその上腕１４が挿し通されるように、少なくとも使用状態では円筒状を成している。この腕帯１２は、たとえば、円筒状に巻回され且つ引き締めにより縮径可能な可撓性ベルトと、その可撓性ベルトの内周面の全部或いは一部に設けられた膨張袋とから構成されている。その膨張袋は、ホース２４を介して上記自動血圧測定装置１６に接続されている。
【００１７】
この自動血圧測定装置１６は、図示しないＣＰＵ、ＲＯＭ、ＲＡＭ、インターフェースなどから成る所謂マイクロコンピュータを備え、ＣＰＵは、ＲＡＭの一時記憶機能を利用しつつ予めＲＯＭに記憶されたプログラムに従って入力信号を処理して血圧値を決定し、表示器２６に表示させる。すなわち、血圧測定起動操作が行われると、空気ポンプから上記膨張袋へ空気を圧送して、上腕に対する圧迫圧を急速昇圧し、その圧迫圧が最高血圧値よりも高く設定された目標圧迫圧に到達すると、上記空気ポンプを停止させると同時に、排気制御弁から上記膨張袋内の空気を徐々に排出させて圧迫圧を所定の降圧速度たとえば５mmHg/sec程度の速度で徐速降圧させ、この徐速降圧の過程で、膨張袋の圧迫圧に含まれる脈動成分である脈波をバンドパスフィルタで抽出すると共にその脈波の振幅を記憶し、たとえばその脈波振幅が急激に変化したときの圧迫圧を血圧値として決定し、表示させるのである。
【００１８】
上記上腕支持装置１０は、支持台２２の一端部下面において蝶番３０を介して回動可能に設けられることにより、２点鎖線に示す収納位置と実線に示す使用位置とに位置させられるＬ字状のフレーム３２を備えている。このフレーム３２は、その使用位置においてはボルトなどの図示しない締結部材によって天板１８に固定され、上下方向に形成された長手状の案内穴３４を備えている。その案内穴３４には、案内穴３４を嵌通し且つその案内穴３４の側縁部を嵌め入れるための左右１対の溝３６を備えた移動部材３８が摺動可能に嵌合されており、その移動部材３８が案内穴３４に沿って上下方向に移動可能にフレーム３２に設けられている。本実施例では、案内穴３４が形成されたフレーム３２が、移動部材３８を上下方向に案内する案内装置として機能している。
【００１９】
上記移動部材３８には、支持台２２の内側に水平に突き出した連結ブラケット４０と、支持台２２の外側へ向かって水平に突き出した支持軸４２とを備えている。上記連結ブラケット４０は、フレーム３２の下端部において連結軸４３により連結された油圧シリンダ４４の出力ロッド４６の先端部が連結され、その油圧シリンダ４４が案内穴３４の長手方向（案内方向）すなわち移動部材３８の移動方向と平行に設けられている。
【００２０】
上記油圧シリンダ４４内は、出力ロッド４６に固定されたピストン４８に分割された１対の油室が形成されており、それら１対の油室内を連通させるための連通路すなわち閉回路５０が設けられている。この閉回路５０には、作動油の流通を制限して移動部材３８の移動を緩やかにするための絞り弁５２が直列に設けられている。また、上記油圧シリンダ４４内に設けられた１対の油室のうちの下側の油室内には、上記出力ロッド４６すなわち移動部材３８を上方へ付勢するための付勢力を発生させるスプリング５４が予圧状態で収容されている。このスプリング５４の付勢力は、上腕１４の荷重が移動部材３８に支持される上腕支持部材６０に課せられないときにはその移動部材３８および上腕支持部材６０が容易に上方へ移動して予め設定された上方停止点に位置決めされるようにすなわち移動部材３８がたとえば案内穴３４の一端に当接して位置決めされるように、また、上腕１４の荷重が移動部材３８に支持される上腕支持部材６０に課せられたときにはその移動部材３８および上腕支持部材６０がスプリング５４の付勢力に抗して容易に下方へ移動するように、上記移動部材３８および上腕支持部材６０の荷重よりは大きいがそれに上腕１４の荷重が加えられた値よりも十分に小さい値に設定されている。本実施例では、上記油圧シリンダ４４およびその油圧シリンダ４４の出力ロッド４６を上方に向かって付勢するスプリング５４は、移動部材３８を上方へ向かって付勢する付勢装置５６を構成している。
【００２１】
前記移動部材３８から支持台２２の外側へ向かって水平に突き出した支持軸４２には、腕帯１２が巻回された上腕１４をクッション材５８を介して支持するための板状の上腕支持部材６０がその支持軸４２まわりの回動、すなわち上腕１４に直交する水平な回動軸心まわりの回動が可能に支持されている。上腕支持部材６０は、その長手寸法の中央位置Ｃから可及的に生体側へ所定距離Ｌだけ移動した位置で上記支持軸４２により支持されている。
【００２２】
図３および図４に詳しく示すように、上腕支持部材６０の下面に固定された軸受ハウジング６２には、上記支持軸４２よりも十分に大きい径の嵌通穴６４が形成されており、支持軸４２において所定の間隔で嵌め着けられた１対のベアリング６５がその嵌通穴６４の両端部にも嵌め着けられた状態で嵌通穴６４内に収容されている。上記嵌通穴６４の内周面と支持軸４２の外周面との間の空間内において、支持軸４２の長手方向の中央部には径方向に突き出すストッパブラケット６６が設けられているとともに、部分厚肉円筒状のスペーサ部材６８が嵌通穴６４の内周面に密着した状態でボルト７０により軸受ハウジング６２に固定されている。上記スペーサ部材６８には、上腕支持部材６０の上面が水平であるときに上記ストッパブラケット６６と当接する第１ストッパ面７２と、上腕支持部材６０の上面が水平線に対して予め設定された角度θすなわち上腕に巻回された腕帯の高さ位置が生体の心臓の高さ位置に略一致するように予め設定された角度（たとえば３０度程度の角度）θ1 に傾斜したときに上記ストッパブラケット６６と当接する第２ストッパ面７４と、そのストッパブラケット６６との間の介挿されるスプリング７６の一端を受けるためのばね受面７８とが設けられている。本実施例では、上記支持軸４２から突設されたストッパブラケット６６とこれが当接させられる第２ストッパ面７４を有するスペーサ部材６８とが、上腕支持部材の角度６０の傾斜角θが水平線に対して予め設定された角度θ1 に到達したときにその上腕支持部材６０の移動部材３８に対する回動を阻止するストッパ或いは停止手段として機能している。
【００２３】
上記ストッパブラケット６６を備えた支持軸４２、１対のベアリング６６、軸受ハウジング６２、第１ストッパ面７２および第２ストッパ面７４を備えたスペーサ部材６８、およびスプリング７６は、上腕支持部材６０と移動部材３８との間を回動可能に連結する連結装置７９として機能するものであり、その連結装置７９は、上腕支持部材６０の水平線に対する傾斜角度θが零から予め設定された角度θ1 たとえば３０度までの範囲に制限し、上腕１４の荷重が付与されていないときには上腕支持部材６０の上面が水平となるように付勢するように、上腕支持部材６０と移動部材３８との間を回動に連結している。
【００２４】
以上のように構成された上腕支持装置１０では、上腕支持部材６０の上面のクッション材５８上に上腕１４が載置されない場合は、移動部材３８は付勢装置５６からの付勢力に従ってその上下方向の移動ストロークの最上端に位置決めされ、且つ上腕支持部材６０は上記支持軸４２のストッパブラケット６６がスペーサ部材６８の第１ストッパ面７２に当接するまでスプリング７６により付勢されるので、上腕支持部材６０の上面が天板１８と面一とされる。図１および図２、図５の１点鎖線はこの状態を示している。次いで、図示しない椅子に腰掛けた生体の上腕１４が血圧測定に先立って上腕支持部材６０の上面のクッション材５８上に載置されると、その上腕１４の荷重によって、上腕支持部材６０および移動部材３８がスプリング５４の付勢力に抗して下方へ移動させられる。このとき、上腕１４の肩側の高さ位置は変化しないが前腕側の高さ位置が下降させられることから、上腕１４が上腕支持部材６０の下降に伴って傾斜させられると同時にその上腕１４を支持する上腕支持部材６０も傾斜させられる。上腕支持部材６０の水平線に対する傾斜角度θが予め設定された角度θ1 たとえば３０度に到達すると、前記支持軸４２のストッパブラケット６６がスペーサ部材６８の第２ストッパ面７４に当接して上腕支持部材６０のそれ以上の回動が阻止される。そして、このように上腕支持部材６０のそれ以上の傾斜が阻止されるとき、上腕１４の上端部を支持する肩の高さは変化しないことから、その上腕１４はその上端部が位置固定の部材に回動可能に設けられたリンクと同様の動きをすることになるので、上腕支持部材６０および移動部材３８の下方移動も阻止され、この状態が保持される。図５の実線はこの状態を示している。そして、自動血圧測定装置１６の血圧測定が起動される。
【００２５】
上述のように、本実施例によれば、生体の上腕１４が上腕支持部材６０に載置された状態でその上腕支持部材６０が下方へ移動させられると、生体の肩の高さは一定であるために上腕１４の肘側が下降させられて傾斜させられるので、その上腕１４を支持する上腕支持部材６０も同様に傾斜させられる。この上腕支持部材６０の下方移動過程でその角度θが水平線に対して予め設定された角度θ1 に到達したとき、ストッパブラケット６６および第２ストッパ面７４（停止手段）によりその上腕支持部材６０の下方移動が停止させられることにより、上腕１４に巻回された腕帯１２の高さ位置が生体の心臓の高さ位置と好適に一致させられ、且つその状態が保持される。このように、生体の上腕１４に巻回された腕帯１２が生体の心臓の高さとなるように腕帯１２の高さ位置が自動的に調節されるので、腕帯１２の装着部位の心臓に対する高さ位置のずれに関連する血圧測定精度の低下が好適に解消される。
【００２６】
また、本実施例によれば、上腕支持部材の角度θが水平線に対して予め設定された角度θ1 に到達したとき、相互に当接するストッパブラケット６６および第２ストッパ面７４が、上腕支持部材６０の移動部材３８に対する回動を阻止する回動ストッパとして機能すると同時に、上腕支持部材６０および移動部材３８の下降移動を停止させる停止手段としても機能する。すなわち、上腕１４の上端部を支持する肩の高さは変化しないことから、その上腕１４はその上端部が位置固定の部材に回動可能に設けられたリンクと同様の動きをすることになるので、上腕支持部材６０の移動部材３８に対する回動が上記回動ストッパにより阻止されると移動部材３８の下方移動も阻止される。このため、角度検出装置や電磁弁などの部品を用いることなく、生体の上腕に巻回された腕帯が生体の心臓の高さとなるようにその腕帯１２が上腕支持部材６０により支持される。
【００２７】
また、本実施例によれば、移動部材３８および上腕支持部材６０をそれらの荷重よりも大きくかつそれに上腕１４の荷重が加えられた値よりも低い付勢力で上方に向かって付勢し、予め設定された上方停止点に位置決めする付勢装置５６が設けられているので、上腕１４が上腕支持部材６０から外されると、その上腕支持部材６０は予め設定された上方停止点すなわち案内穴３４の上端に当接する点まで自動的に復帰させられる利点がある。
【００２８】
また、本実施例によれば、上腕支持部材６０の回動軸心の位置すなわち支持軸４２の位置は、図２に示すように、その上腕支持部材６０の長さ寸法の中央位置Ｃよりも生体側に所定距離Ｌだけずらされた位置とされているので、上腕支持部材６０およびそれに支持された上腕１４の下方移動および傾斜に伴う生体の前方への移動がすくなくなり、その前方移動による違和感の発生が好適に抑制される。
【００２９】
また、本実施例では、上腕支持部材６０と移動部材３８との間を回動可能に連結する連結装置７９は、上腕支持部材６０の水平線に対する傾斜角度θが零から予め設定された角度θ1 たとえば３０度までの範囲に制限し、上腕１４の荷重が付与されていないときには上腕支持部材６０の上面が水平となるように付勢するものであるので、上腕１４が上腕支持部材６０から外されると、上腕支持部材６０が自動的に水平となる利点がある。
【００３０】
次に、本発明の他の実施例を説明する。なお、以下の説明において前述の実施例と共通する部分には同一の符号を付して説明を省略する。
【００３１】
図６は、本発明の他の実施例における移動停止装置８０などを示している。図６に示す実施例は、スペーサ部材６８の第２ストッパ面７４が除去されている点、上腕支持部材６０の傾斜角θが予め設定された角度θ1 に到達することを検出するために支持軸４２に固定されたカム８２およびそのカム８２の回動を検出する角度検出スイッチ８４が設けられている点、その角度検出スイッチ８４により上腕支持部材６０の傾斜角θが予め設定された角度θ1 に到達したことが検出されると開状態から閉状態に切り換えられて移動部材３８の下降を停止させるために閉回路５０に電磁開閉弁８６が直列に介挿されている点が、前述の実施例と相違する。上記油圧シリンダ４４、閉回路５０、電磁開閉弁８６などが、移動部材３８の下降移動を停止するための停止手段すなわち上記移動停止装置８０を構成している。これにより、生体の上腕１４が上腕支持部材６０に載置された状態でその上腕支持部材６０が下方へ移動させられる過程でその上腕支持部材６０の角度θが水平線に対して予め設定された角度θ1 に到達すると、角度検出スイッチ８４から出力された電気信号により電磁開閉弁８６が閉じられるので、その上腕支持部材６０の下方移動を停止させられて、血圧測定に先立って、腕帯１４の高さ位置が生体の心臓の高さ位置と略一致させられた状態に保持される。
【００３２】
従って、本実施例においても前述の実施例と同様に、生体の上腕１４に巻回された腕帯１２が生体の心臓の高さとなるように腕帯１２の高さ位置が自動的に調節されるので、腕帯１２の装着部位の心臓に対する高さ位置のずれに関連する血圧測定精度の低下が好適に解消される。
【００３３】
また、本実施例によれば、付勢装置５６は、移動部材３８に連結された出力ロッド４６を備えた油圧シリンダ４４と、その油圧シリンダ４４の出力ロッド４６を上方に向かって付勢するスプリング５４とから構成されたものであり、移動停止装置８０は、その油圧シリンダ４４においてピストン４８により分割された２油室を連通させる閉回路５０に設けられてその閉回路５０内における作動油の流通を阻止する電磁開閉弁８６から構成されたものであるので、付勢装置５６および移動停止装置８０が小型に構成される利点がある。
【００３４】
また、本実施例によれば、停止手段として機能する移動停止手段８０は、上腕支持部材６０の角度θが水平線に対して予め設定された角度θ1 に到達したことを検出する角度検出スイッチ８４と、その角度検出スイッチ８４により上腕支持部材６０の角度θが水平線に対して予め設定された角度θ1 に到達したことが検出されると、移動部材３８の下方方向への移動を停止させる移動停止装置８０とを、含むものであることから、角度検出スイッチ８４により上腕支持部材６０の角度θが水平線に対して予め設定された角度θ1 に到達したことが検出されると、移動停止装置８０により移動部材３８の下方方向への移動が停止させられるので、生体の肩の位置が前後方向に変化したとしても、確実に、生体の上腕１４に巻回された腕帯１２が生体の心臓の高さとなるようにその腕帯１２が上腕支持部材６０により支持される利点がある。
【００３５】
図７に示す連結装置８８では、前述の図４の連結装置７９に比較して、上腕支持部材６０を水平状態すなわち傾斜角θが零状態から右回りおよび左回りに３０度の回動をそれぞれ許容するように、スペーサ部材６８の第１ストッパ面７２が後退させられているとともに、スプリング７６と同様の付勢力を有する第２のスプリング９０がその第１ストッパ面７２とストッパブラケット６６との間に設けられている点において相違する。上記上腕支持部材６０の回動範囲は、支持軸４２に固定されたストッパブラケット６６が第１ストッパ面７２に当接する位置から第２ストッパ面７４に当接する位置までとされている。そして、上記第２のスプリング９０とスプリング７６との相対向する同様の大きさの付勢力により、上腕１４が載置されていない状態の上腕支持部材６０は略水平状態に維持されるようになっている。
【００３６】
以上、本発明の一実施例を図面に基づいて説明したが、本発明はその他の態様においても適用される。
【００３７】
たとえば、前述の実施例では、移動部材３８がフレーム３２に設けられた案内穴３４に沿って上下方向に移動可能に設けられていたが、上下方向に設けられた案内ロッド或いは駆動ねじ軸に沿って上下方向に移動可能に設けられていてもよい。
【００３８】
また、前述の実施例では、移動部材３８は、付勢装置５６により常時上方に向かって付勢されており、上腕１４の荷重が付与されると下方へ移動させられるように構成されていたが、移動部材３８が上下方向のねじ軸に螺合され、前記上腕支持部材６０の傾斜角θが予め設定された角度θ1 に到達したことが検出されるまでそのねじ軸が電動モータにより駆動されることにより、下方へ移動させられるように構成されてもよい。
【００３９】
また、前述の図６の実施例において、角度検出スイッチ８４は、カム８２との係合に応答して閉回路５０を直接的に閉じるバルブスイッチであっても差し支えない。
【００４０】
また、前述の実施例の上腕支持部材６０は支持軸４２まわりの回動可能に移動部材３８に連結されていたが、上腕支持部材６０の回動軸心はそのその上腕支持部材６０の上面よりも上方位置となるように移動部材３８に支持されてもよい。この場合には、たとえば、その回動軸心を中心とする円弧状のカム面を備えた部材が上腕支持部材６０に固定され、そのカム面に係合したそれを支える複数個のカムローラが移動部材３８に設けられる。
【００４１】
その他、一々列挙はしないが、本発明はその趣旨を逸脱しない範囲において種々変更が加えられ得るものである。
【図面の簡単な説明】
【図１】本発明の一実施例である上腕支持装置と、その上腕支持装置によって支持された状態でその生体の血圧値を自動的に測定する自動血圧測定装置との使用状態を示す正面図である。
【図２】図１の上腕支持装置および自動血圧測定装置の側面を示す図である。
【図３】図１において移動部材と上腕支持部材とを回動可能に連結する連結装置の構成を説明する断面図である。
【図４】図３の連結装置の構成を説明するために一部を切り欠いた図である。
【図５】図１の上腕支持装置において上腕支持部材の傾斜状態を示す図である。
【図６】本発明の他の実施例において移動部材の移動を停止させる構成の要部を説明する図である。
【図７】本発明の他の実施例の連結装置の要部を説明する図である。
【符号の説明】
１０：上腕支持装置
１４：上腕
３８：移動部材
６０：上腕支持部材
６６：ストッパブラケット、６８：スペーサ部材６８（ストッパ、停止手段）
８０：移動停止装置（停止手段）
８４：角度検出スイッチ（角度検出装置）
【図１】
0003932701.tif 000002
【図２】
0003932701.tif 000003
【図３】
0003932701.tif 000004
【図４】
0003932701.tif 000005
【図５】
0003932701.tif 000006
【図６】
0003932701.tif 000007
【図７】
0003932701.tif 000008